(57)【要約】  トレイの装着の有無をより正確に検知する。加湿機（１００）は、底面（１３）を有する筐体（１）と、筐体（１）に着脱可能となるように底面（１３）上に配置され、水を貯留する貯水トレイ（４）と、底面（１３）の上方から底面（１３）に向けて直下に出射した光が底面（１３）または貯水トレイ（４）の底面（４４）から反射した反射光を受けることにより、底面（１３）または底面（４４）までの距離を測定する測距センサ（６）と、を備える。底面（１３）には、反射光が測距センサ（６）に到達する時間を遅延させる光学的効果を生じさせる光学的効果部が設けられている。
2020032108.tif 000002
【特許請求の範囲】
【請求項１】
第１底面を有する筐体と、
前記筐体に着脱可能となるように前記第１底面上に配置され、水を貯留する貯水トレイと、
前記第１底面の上方から前記第１底面に向けて直下に出射した光が前記第１底面または前記貯水トレイの第２底面から反射した反射光を受けることにより、前記第１底面または前記第２底面までの距離を測定する測距センサと、を備え、
前記第１底面には、前記反射光が前記測距センサに到達する時間を遅延させる光学的効果を生じさせる光学的効果部が設けられていることを特徴とする空気調和機。
【請求項２】
前記光学的効果部は、前記第１底面において光が照射される光照射領域に形成された凹部であり、
前記凹部は、光の入射方向に対して傾斜する傾斜面をその底部に有していることを特徴とする請求項１に記載の空気調和機。
【請求項３】
前記光学的効果部は、前記第１底面において光が照射される光照射領域に形成された凹凸であることを特徴とする請求項１または２に記載の空気調和機。
【請求項４】
前記光学的効果部は、前記第１底面において光が照射される光照射領域に光吸収性の高い色が付された着色部であることを特徴とする請求項１から３のいずれか１項に記載の空気調和機。
【請求項５】
前記測距センサによって測定された、前記第１底面および前記第２底面を含む測定対象面までの距離と、所定の閾値とを比較して、前記距離が前記閾値より長いときに前記貯水トレイが前記筐体に装着されていないと判定する一方、前記距離が前記閾値より短いときに前記貯水トレイが前記筐体に装着されていると判定するトレイ装着判定部をさらに備えていることを特徴とする請求項１から４のいずれか１項に記載の空気調和機。
【発明の詳細な説明】
【技術分野】
【０００１】
本発明は、貯水トレイの装着を光学的に検知する空気調和機に関する。
【背景技術】
【０００２】
加湿機は、蒸発させる水を貯えるためのトレイを内部に備えている。トレイは、水を蒸発させるために所定量以上の水を貯える必要がある。水を直接注ぎ込むタイプのトレイを備える加湿機では、ユーザが、トレイの貯水量を把握し、貯水量が所定の水量より少なくなると、トレイに水を補充しなければならない。このため、トレイにおける水位を測定する手法に様々な改良が試みられている。【０００３】
例えば、特許文献１には、水槽内の水位を光学式の測距センサを用いて測定する技術が開示されている。
【先行技術文献】
【特許文献】
【０００４】
【特許文献１】日本国公開特許公報「特開２０１６−９９２５６号（２０１６年５月３０日公開）」
【発明の概要】
【発明が解決しようとする課題】
【０００５】
ところで、トレイを筐体に対して着脱可能に設ける加湿機では、トレイを筐体から外して持ち運びできる。これにより、トレイに水道の蛇口から直接水を入れることができる。ただし、このような加湿機では、トレイが筐体から外された状態で動作しても、加湿された空気を放出できない。あるいは、トレイが筐体から外された状態では、ヤカンなどから加湿機本体への給水ができない。【０００６】
そこで、上記の水位を光学的に測定する技術をトレイの有無検知に応用することが考えられる。具体的には、トレイの上方に配置された測距センサから出射された光の反射により、トレイの有無を検知する。【０００７】
トレイが筐体の下部に装着され、かつトレイに水が貯えられている状態では、測距センサがトレイにおける水位を測定するので、トレイが筐体に装着されていることが検知できる。ただし、トレイが空の状態では、測距センサは、出射した光が測定対象面（筐体の底面またはトレイの底面）に反射した光を受光することで測定した距離を、予め設定された閾値と比較して、閾値に対する長短に基づいて、トレイの有無を検知する。具体的には、測定距離が閾値より長ければ、トレイが装着されていないことを検知し、測定距離が閾値より短ければ、トレイが装着されていることを検知する。【０００８】
しかしながら、筐体の下部に配置されたトレイの底面と筐体の底面とが非常に近い距離にある場合、上記の測距センサを用いて閾値に対する長短に基づいてトレイの有無を検知するのは非常に困難である。また、上記の光の反射で距離を測るタイプの測距センサは、外部環境（温湿度、周りの壁、測定対象面の材質など）に影響を受けやすく、上記のような近い距離の差を誤差と区別して検出するのは難しい。【０００９】
そこで、トレイの装着の有無を検知しやすくするために、トレイの底面と筐体の底面との距離を長くすることが考えられる。例えば、筐体の底面に凹部を形成することにより、上記の距離を少しでも長くすることができる。【００１０】
しかしながら、筐体の底部の厚さが限られているため、凹部をより深く形成することによって上記の距離を長くすることにも限界がある。このため、測距センサから筐体の底面までの距離と、測距センサからトレイの底面までの距離とを区別できる程度に深い凹部を形成することは筐体の構造上難しい。【００１１】
本発明の一態様は、トレイの装着の有無をより正確に検知することを目的とする。
【課題を解決するための手段】
【００１２】
上記の課題を解決するために、本発明の一態様に係る空気調和機は、第１底面を有する筐体と、前記筐体に着脱可能となるように前記第１底面上に配置され、水を貯留する貯水トレイと、前記第１底面の上方から前記第１底面に向けて直下に出射した光が前記第１底面または前記貯水トレイの第２底面から反射した反射光を受けることにより、前記第１底面または前記第２底面までの距離を測定する測距センサと、を備え、前記第１底面には、前記反射光が前記測距センサに到達する時間を遅延させる光学的効果を生じさせる光学的効果部が設けられている。
【発明の効果】
【００１３】
本発明の一態様によれば、トレイの装着の有無をより正確に検知することができる。
【図面の簡単な説明】
【００１４】
【図１】本発明の実施形態１〜３に係る加湿機の外観構成を示す斜視図である。
【図２】上記加湿機の外観構成を示す正面図である。
【図３】上記加湿機の内部構造を示す分解斜視図である。
【図４】図２のＡ−Ａ線矢視断面図である。
【図５】上記加湿機の下部の構造における一部を示す斜視図である。
【図６】上記加湿機における制御系の構成を示すブロック図である。
【発明を実施するための形態】
【００１５】
〔加湿機〕
本発明の実施形態１〜３に共通して使用する加湿機１００の基本構成について、図１〜図４に基づいて説明する。
【００１６】
図１は、本発明の実施形態１〜３に係る加湿機１００の外観構成を示す斜視図である。図２は、加湿機１００の外観構成を示す正面図である。図３は、加湿機の内部構造を示す分解斜視図である。図４は、図２のＡ−Ａ線矢視断面図である。
【００１７】
図１〜図４に示すように、加湿機１００（空気調和機）は、筐体１と、電気稼働部２と、上部カバー３と、貯水トレイ４とを備えている。なお、以降の説明において、図２に示す筐体１の右側を右部と称し、筐体１の左側を左部と称する。
【００１８】
筐体１において、電気稼働部２は上側に配置され、貯水トレイ４は下側に配置されている。筐体１は、電気稼働部２および貯水トレイ４の側部を覆うように形成されている。また、図２に示すように、筐体１における一方の上部側面には、外部の空気を取り入れる吸気口１１が設けられている。図４に示すように、吸気口１１は、グリル１２によって通気可能となるように覆われている。
【００１９】
電気稼働部２は、電気によって稼働する部分であり、図３および図４に示すように、保持フレーム２１、シロッコファン２２、モータ（図示せず）、ヒータ（図示せず）などを有している。
【００２０】
保持フレーム２１は、ファン保持部２３と、電気部品保持部２４とを有している。ファン保持部２３は、モータを保持することにより、シロッコファン２２を回転可能に保持する部分である。電気部品保持部２４は、電気部品であるヒータなどを保持する部分である。
【００２１】
保持フレーム２１の上端部において、左部側には、加湿された空気を吹き出す吹出口２１１が設けられ、右部側には、貯水トレイ４に供給する水を流し込む給水口２１２が設けられている。また、保持フレーム２１の右部側には、給水溝２１３が設けられている。給水溝２１３は、給水口２１２から貯水トレイ４の右部側の上端に至る範囲に上下方向に形成されている。このように構成される給水溝２１３は、筐体１における右部側の内壁とで管状の給水路を形成することによって、給水口２１２から貯水トレイ４に水を導く。
【００２２】
図３に示すように、保持フレーム２１の底部において、シロッコファン２２によって送られた空気を貯水トレイ４へ放出する通気口２１４が設けられている。通気口２１４は、グリル２１５によって通気可能となるように覆われている。
【００２３】
図１に示すように、上部カバー３は、筐体１の上端の開口部に配置されている。上部カバー３は、ディフューザ３１と、案内板３２と、操作・表示パネル３３とを有している。
【００２４】
ディフューザ３１は、保持フレーム２１の吹出口２１１から吹き出された空気を拡散させるために設けられている。ディフューザ３１は、上部カバー３に着脱可能に設けられている。
【００２５】
案内板３２は、上方から注ぎ込まれる水を保持フレーム２１の給水口２１２に案内するために設けられている。このため、案内板３２は、給水口２１２の側に下り傾斜となるように形成されている。
【００２６】
操作・表示パネル３３は、ユーザが操作を行うための各種の操作ボタン（運転ボタンなど）と、加湿機１００の動作状態（運転ＯＮ・ＯＦＦ、タイマー動作など）を表示するランプ（ＬＥＤ）とを含んでいる。
【００２７】
貯水トレイ４は、上述の給水路を介して供給された水を貯留するためのトレイであり、大容量に構成されている。貯水トレイ４には、貯えた水を気化するための気化フィルタ５（図３）が配置されている。また、貯水トレイ４は、筐体１に着脱可能に設けられており、引き出し形式で筐体１に装着される。貯水トレイ４には、貯水トレイ４を持ち運びするための把手４３が設けられている。把手４３は、貯水トレイ４の両側壁に回動可能に取り付けられている。
【００２８】
上記のように構成される加湿機１００においては、シロッコファン２２の回転によって発生した送風力によって、筐体１の吸気口１１から取り込まれた空気が、ヒータによって加熱されて貯水トレイ４に導かれる。貯水トレイ４においては、気化フィルタ５が、貯えられた水を全体に吸い上げている。貯水トレイ４に導かれた空気は、気化フィルタ５を通過することにより、水分を含んだ状態で放出される。気化フィルタ５に吹き込まれる空気が暖められているため、気化フィルタ５による気化効率を高めることができる。
【００２９】
気化フィルタ５を通過した水分を含む空気は、シロッコファン２２の背後側の通路（図示せず）を通り抜けて吹出口２１１に送り出され、ディフューザ３１を介して外部に放出される。
【００３０】
なお、加湿機１００におけるファンは、シロッコファン２２には限定されない。ファンとしては、ターボファン、クロスフローファン、軸流ファン、斜流ファンなどを用いてもよい。
【００３１】
また、以降に説明する実施形態１〜３は、加湿機１００に限らず、それぞれ空気調和機である、除湿機、除湿機能および／または加湿機能を有する空気清浄機などにも適用可能である。除湿機は、除湿の結果生じた水を貯留するために貯水トレイ４と同様な貯水トレイを備えている。
【００３２】
〔実施形態１〕
本発明の実施形態１について、図４および図５に基づいて説明すれば、以下のとおりである。
【００３３】
図５は、加湿機１００の下部の構造における一部を示す斜視図である。
【００３４】
図４に示すように、加湿機１００は、測距センサ６を備えている。
【００３５】
測距センサ６は、光学式の距離測定センサであり、発光部から光を出射してその光が測定対象面に反射した反射光を受光部で受けるまでの時間に基づいて、測距センサ６から測定対象面までの距離を測定する。測距センサ６としては、ＴｏＦ（Time of Flight）方式測距センサが用いられる。
【００３６】
測距センサ６は、保持フレーム２１の底部に配置されている。測距センサ６は、筐体１の底面１３（第１底面）に向けて直下に光を照射するように、保持フレーム２１の底部に、発光部および受光部を下方に向けて取り付けられている。
【００３７】
一方、筐体１の底面１３には、測距センサ６からの光が照射される光照射領域に凹部１４が形成されている。凹部１４は、方形に形成されているが、その形状は方形には限定されない。
【００３８】
また、凹部１４の底部には、入射光を測距センサ６に向かって反射しないように、測距センサ６からの光の入射方向に対して傾斜する傾斜面１４ａ（光学的効果部）が形成されている。傾斜面１４ａは、後述するように、傾斜面１４ａに反射した光が測距センサ６に到達する時間を遅延させる光学的効果を生じさせる。
【００３９】
続いて、加湿機１００の制御系について説明する。図６は、その制御系の構成を示すブロック図である。
【００４０】
図６に示すように、加湿機１００は、制御系として、上述の測距センサ６以外に、記憶部７と、報知部８と、制御部９（トレイ装着判定部）とを備えている。
【００４１】
記憶部７は、筐体１の底面１３までの距離と、貯水トレイ４の底面４４（第２底面）までの距離とを判別するための所定の閾値を記憶している。
【００４２】
報知部８は、貯水トレイ４が筐体１に装着されていないことを報知するために設けられている。報知部８は、例えば、貯水トレイ４が筐体１に装着されていないときに、操作・表示パネル３３において報知用に設けられた非装着ランプを点灯させる。
【００４３】
制御部９は、測距センサ６によって測定された測定対象面（底面１３または底面４４）までの距離である測定距離と、記憶部７に記憶された閾値とを比較する。制御部９は、その比較の結果、閾値に対する測定距離の長短に基づいて、筐体１における貯水トレイ４の有無を判定する。具体的には、制御部９は、測定距離が閾値より長いときに貯水トレイ４が筐体１に装着されていないと判定する一方、測定距離が閾値より短いときに貯水トレイ４が筐体に装着されていると判定する。なお、ここでは、貯水トレイ４が水を貯えていない空の状態であることを想定している。
【００４４】
続いて、上記のように構成される加湿機１００による貯水トレイ４の筐体１への装着または非装着の判定動作について説明する。
【００４５】
ユーザが加湿機１００を使用している状態において、貯水トレイ４が筐体１に装着されていない場合、底面１３における凹部１４の傾斜面１４ａが測定対象面となる。この場合は、まず、測距センサ６から出射された光が傾斜面１４ａに照射される。その光は、傾斜面１４ａによって、入射方向とは異なる斜めの方向に反射され、貯水トレイ４の内側壁などにも反射されてから測距センサ６に達する。測距センサ６は、傾斜面１４ａからの反射光を受けて、測定距離を算出して出力する。
【００４６】
それゆえ、測距センサ６が光を出射してから反射光を受けるまでの時間が、反射光が測距センサ６に直接戻ってくる場合の時間と比べて長い。したがって、凹部１４が傾斜面１４ａを有することにより、測定距離が測距センサ６と傾斜面１４ａとの実際の距離よりも長く測定される。
【００４７】
制御部９は、測定距離を記憶部７に記憶されている閾値と比較する。この場合、制御部９は、測定距離が閾値より長いと判定することから、貯水トレイ４が筐体１に装着されていないと判定する。制御部９は、この判定に基づいて報知部８に、貯水トレイ４が非装着であることを報知するように指示する。報知部８は、この指示を受けて、操作・表示パネル３３における上述の非装着ランプを点灯させる。これにより、ユーザは、貯水トレイ４が非装着であることを認識できる。
【００４８】
ユーザが加湿機１００を使用している状態において、貯水トレイ４が筐体１に装着されている場合、貯水トレイ４の底面４４が測定対象面となる。この場合、測距センサ６からの出射光は、水平面である底面４４で反射されると、測距センサ６に直接戻る。測距センサ６は、底面４４からの反射光を受けて、測定距離を算出して出力する。
【００４９】
制御部９は、測定距離を閾値と比較する。この場合、制御部９は、測定距離が閾値より短いと判定することから、貯水トレイ４が筐体１に装着されていると判定する。制御部９は、この判定に基づいて報知部８に、貯水トレイ４が非装着であることを報知する指示を与えない。したがって、報知部８は、操作・表示パネル３３における上述の非装着ランプを点灯させない。これにより、ユーザは、加湿機１００が貯水トレイ４の装着された通常の使用状態であることを認識する。
【００５０】
以上のように、本実施形態に係る加湿機１００は、筐体１の底面１３に、測距センサ６からの光の入射方向に対して傾斜する傾斜面１４ａを有する凹部１４を有している。測距センサ６の出射光をこの傾斜面１４ａに照射すると、傾斜面１４ａからの反射光は、上述のように、平坦面からの反射光よりも遅れて測距センサ６に達する。
【００５１】
これにより、測距センサ６による測定距離が、測距センサ６と傾斜面１４ａとの実際の距離よりも長くなる。それゆえ、さらに深く形成した凹部１４の底部と測距センサ６との距離を測定した場合と、同等の測定距離が得られる。したがって、筐体１の構造上、凹部１４の深さに限界があっても、測距センサ６と傾斜面１４ａとの測定距離を実際の距離よりも長くすることにより、当該測定距離と、測距センサ６と底面４４との測定距離との差を大きくすることができる。よって、筐体１の底部の厚く形成するような加湿機１００の大型化を抑えつつ、貯水トレイ４の装着または非装着をより正確に判定することができる。
【００５２】
なお、本実施形態では、測距センサ６が貯水トレイ４の装着または非装着の判定のために用いられている。しかしながら、貯水トレイ４に貯えられた水の水位を検知するために設けられ測距センサ６を、貯水トレイ４の装着または非装着の判定と兼用してもよい。このように構成する場合、測距センサ６と貯水トレイ４における水面との測定距離が閾値よりも短いので、制御部９は、貯水トレイ４が筐体１に装着されていると判定できる。
【００５３】
ここで、具体例について説明する。なお、以下に挙げる距離の値は、一例であって本発明を限定するものではない。
【００５４】
測距センサ６と貯水トレイ４の底面４４との距離が２０ｃｍであるとすると、測距センサ６を構成するＴｏＦセンサの測定距離には、２０ｃｍの距離の測定において±０．５ｃｍの誤差が現れる可能性がある。このため、光の往復時間で測定される測定距離には、上記の誤差の倍の１ｃｍ程度の誤差が含まれる。また、筐体１の底面１３と貯水トレイ４の底面４４との距離は、およそ１．３ｃｍである。したがって、この距離と上記の誤差との差は僅かである。
【００５５】
温度、底面１３および底面４４に生じた僅かな傷、振動などの影響により、上記の誤差が拡大すると、底面１３と底面４４との小さい距離差を測距センサ６によって区別できなくなる虞がある。底面１３に浅い凹部を設けても、同様に上記の距離差を区別できない可能性が高い。
【００５６】
これに対し、本実施形態に係る上述の構成では、傾斜面１４ａまでの測定距離を実際の距離より長く測定するので、上記の距離差を大きくすることができる。これにより、凹部１４が十分に深くなくても、測距センサ６の誤差の影響を受けることなく、筐体１における貯水トレイ４の装着または非装着を判定することができる。また、上記の距離差が大きくなるので、閾値の設定を容易にすることができる。
【００５７】
〔実施形態２〕
本発明の実施形態２について、図４および図５に基づいて説明すれば、以下のとおりである。なお、説明の便宜上、実施形態１にて説明した構成要素と同等の機能を有する構成要素については、同じ符号を付記し、その説明を省略する。また、本実施形態では、実施形態１と異なる部分について説明する。
【００５８】
図４および図５に示す凹部１４の傾斜面１４ａには、図示しない凹凸（光学的効果部）が形成されている。凹凸の形状としては、シボのような形状などが挙げられるが、特定の形状に限定されない。
【００５９】
傾斜面１４ａに凹凸が形成されることにより、凹凸で光が入射方向とは異なる方向に反射される。それゆえ、反射光が測距センサ６に達する時間をより遅延させることができる。したがって、貯水トレイ４の有無検知をより高精度に行うことができる。
【００６０】
なお、傾斜面１４ａを有する凹部１４に代えて平坦面を有する凹部を底面１３に設ける構成において、平坦面に凹凸が形成されてもよい。このような構成においても、反射光が測距センサ６に直接達しないので、測定距離を長くすることができる。それゆえ、測距センサ６の誤差の影響を受けることなく貯水トレイ４の有無検知を行うことができる。
【００６１】
〔実施形態３〕
本発明の実施形態３について、図４および図５に基づいて説明すれば、以下のとおりである。なお、説明の便宜上、実施形態１にて説明した構成要素と同等の機能を有する構成要素については、同じ符号を付記し、その説明を省略する。また、本実施形態では、実施形態１と異なる部分について説明する。
【００６２】
図４および図５に示す凹部１４の傾斜面１４ａには、光吸収性の高い色が付されている。傾斜面１４ａに付される色としては、測距センサ６が発する光の波長に対する吸収率が高い色が選ばれる。例えば、黒は、光の波長に関わらず、ほぼ同じ吸収率を示すので、光の波長に左右されないという観点から、傾斜面１４ａに付される色として好ましい。また、傾斜面１４ａに付される色としては、光を反射しにくいという観点から、暗色系の色が好ましく、黒がより好ましい。
【００６３】
ただし、傾斜面１４ａに付される色は、筐体１の色および貯水トレイ４の色が明るい色である場合、この色とは異なる色であることが好ましい。
【００６４】
傾斜面１４ａが光吸収性の高い色を付された着色部（光学的効果部）であることにより、傾斜面１４ａでは、直進する反射光の量が減少することによって、乱反射光の割合が大きくなる。これにより、反射光が測距センサ６に達する時間をより遅延させることができる。したがって、貯水トレイ４の有無検知をより高精度に行うことができる。
【００６５】
なお、傾斜面１４ａを有する凹部１４に代えて平坦面を有する凹部を底面１３に設ける構成において、平坦面に上記のような色が付されてもよい。このような構成においても、測距センサ６に直接到達する反射光の割合が少ないので、測距センサ６が当該反射光を検出できず、乱反射光を検出する。それゆえ、測定距離を長くすることができる。したがって、測距センサ６の誤差の影響を受けることなく貯水トレイ４の有無検知を行うことができる。
【００６６】
なお、本実施形態の構成を、上述の実施形態２の構成に適用してもよい。
【００６７】
〔まとめ〕
本発明の態様１に係る空気調和機は、第１底面（底面１３）を有する筐体１と、前記筐体１に着脱可能となるように前記第１底面上に配置され、水を貯留する貯水トレイ４と、前記第１底面の上方から前記第１底面に向けて直下に出射した光が前記第１底面または前記貯水トレイ４の第２底面（底面４４）から反射した反射光を受けることにより、前記第１底面または前記第２底面までの距離を測定する測距センサ６と、を備え、前記第１底面には、前記反射光が前記測距センサ６に到達する時間を遅延させる光学的効果を生じさせる光学的効果部が設けられている。
【００６８】
上記の構成によれば、第１底面からの反射光は、光学的効果の影響を受けて、通常よりも遅れて測距センサに達する。これにより、第１底面までの距離の測定値（測定距離）が、実際の距離よりも長くなる。それゆえ、測定距離を長くするために第１底面に凹部を深く形成した状態での凹部までの測定距離と同等の測定距離が得られる。このため、筐体の構造上、底面に形成できる凹部の深さに限界があっても、第１底面までの測定距離と、第２底面までの測定距離との差がより大きくなる。したがって、測距センサの測定誤差の影響を受けることなく、貯水トレイの装着または非装着を判定することができる。
【００６９】
よって、筐体の大型化を抑えつつ、貯水トレイの装着または非装着をより確実に判定することができる。
【００７０】
本発明の態様２に係る空気調和機は、上記態様１において、前記光学的効果部が、前記第１底面において光が照射される光照射領域に形成された凹部１４であり、前記凹部１４が、光の入射方向に対して傾斜する傾斜面１４ａをその底部に有していてもよい。
【００７１】
上記の構成によれば、傾斜面に入射した光は、入射方向とは異なる斜めの方向に反射され、貯水トレイの内側壁などにも反射されてから測距センサに達する。これにより、反射光が測距センサに到達する時間を遅延させることができる。
【００７２】
本発明の態様３に係る空気調和機は、上記態様１または２において、前記光学的効果部が、前記第１底面において光が照射される光照射領域に形成された凹凸であってもよい。
【００７３】
上記の構成によれば、傾斜面に入射した光は、入射方向とは異なる斜めの方向に反射され、貯水トレイの内側壁などにも反射されてから測距センサに達する。これにより、反射光が測距センサに到達する時間を遅延させることができる。
【００７４】
本発明の態様４に係る空気調和機は、上記態様１から３のいずれかにおいて、前記光学的効果部は、前記第１底面において光が照射される光照射領域に光吸収性の高い色が付された着色部であってもよい。
【００７５】
上記の構成によれば、光が着色部に入射するとその多くが着色部に吸収されるので、直進する反射光の量が減少することによって、乱反射光の割合が大きくなる。これにより、反射光が測距センサに達する時間をより遅延させることができる。
【００７６】
本発明の態様５に係る空気調和機は、上記態様１から４のいずれかにおいて、前記測距センサ６によって測定された、前記第１底面および前記第２底面を含む測定対象面までの距離と、所定の閾値とを比較して、前記距離が前記閾値より長いときに前記貯水トレイ４が前記筐体１に装着されていないと判定する一方、前記距離が前記閾値より短いときに前記貯水トレイ４が前記筐体１に装着されていると判定するトレイ装着判定部（制御部９）をさらに備えていてもよい。
【００７７】
上記の構成によれば、光が着色部に入射するとその多くが着色部に吸収されるので、直進する反射光の量が減少することによって、乱反射光の割合が大きくなる。これにより、反射光が測距センサに達する時間をより遅延させることができる。
【００７８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７９】
１  筐体
４  貯水トレイ
６  測距センサ
１３  底面（第１底面，測定対象面）
１４  凹部
１４ａ  傾斜面（光学的効果部，着色部）
４４  底面（第２底面，測定対象面）
１００  加湿機（空気調和機）
【図１】
2020032108.tif 000003
【図２】
2020032108.tif 000004
【図３】
2020032108.tif 000005
【図４】
2020032108.tif 000006
【図５】
2020032108.tif 000007
【図６】
2020032108.tif 000008
【国際調査報告】
2020032108.tif 000009
2020032108.tif 000010
2020032108.tif 000011
2020032108.tif 000012